(57)【要約】【課題】使用者が自分の体重を利用し、随時容易に、背面にあるすべてのつぼから自分が望むつぼ（例えば、肩凝りにきくつぼだけ、あるいは腰痛にきくつぼだけ）を選び、それに対し自分が望む最適の強さの刺激を与えたり、あるいはまた、つぼへの刺激は一切やめにして背骨の形を整えまたは矯正するだけにしたりすることのできる機器を、低廉な価格で提供すること。【解決手段】軟らかくない板状体の上表面を、正常な体の背面に密接する曲面に形成し、該曲面上において、体の背面全体に存在する主要なつぼのすべてに相対する各位置に、それぞれつぼ押圧子挿入孔を設けた本体と、前記挿入孔に抜き差し自在に挿入できる脚部およびそれに連なる頭部を有するつぼ押圧子とから成るつぼ押圧機。【選択図】      図１
2006271906.tif 000002
【特許請求の範囲】
【請求項１】
軟らかくない板状体の上表面を、正常な体の背面に密接する曲面に形成し、該曲面上において、体の背面全体に存在する主要なつぼのすべてに相対する各位置に、それぞれつぼ押圧子挿入孔を設けた本体と、前記挿入孔に抜き差し自在に挿入できる脚部およびそれに連なる頭部を有するつぼ押圧子とから成ることを特徴とする背面つぼ押圧機。
【請求項２】
つぼ押圧子挿入孔を、各つぼについて、当該つぼの位置およびその近傍にそれぞれ複数個ずつ設けるようにしたことを特徴とする請求項１に記載の背面つぼ押圧機。
【請求項３】
つぼ押圧子を、頭部の高さ、形状または頭頂の面積が異なる複数個のものとしたことを特徴とする請求項１または請求項２に記載の背面つぼ押圧機。
【請求項４】
つぼ押圧子挿入孔を、つぼ押圧子の脚部が挿入できる形にした開口部とその下方に連なる空洞部とから成るものとし、つぼ押圧子の脚部に側方に張り出した係止片を設け、前記開口部の周縁に係止肩部を形設して、つぼ押圧子挿入孔に挿入されたつぼ押圧子の係止片が前記係止肩部によって係止できるように構成したことを特徴とする請求項１、請求項２または請求項３に記載の背面つぼ押圧機。
【請求項５】
つぼ押圧子挿入孔に、蓋片の下端に弾性体を連接した閉塞子を格納し、つぼ押圧子が挿入されないときに前記蓋片の上面が板状体の上表面とほぼ同一面になり開口部を閉塞するように構成したことを特徴とする請求項１、請求項２、請求項３または請求項４に記載の背面つぼ押圧機。
【発明の詳細な説明】
【技術分野】
【０００１】  本発明は、体の背面のつぼ（灸点または経穴）を、使用者が自分の体重を利用して押圧するように構成された機器に関する。
【背景技術】
【０００２】  本発明者は、若年の頃からこれまでの間長い年月にわたり、肩凝り、腰痛等に悩まされてきた。そして、その悩みを解消しようとして多くの試行錯誤を繰り返してきた。
マッサージ、鍼灸、カイロプラクティック、整形外科などの治療を受けてもみたが、完治することはなかった。それに、その治療には多額の施術費がかかるという経済上の難点もあった。また、マッサージ、鍼灸、カイロプラクティック、整形外科などの他者の手を要しないものとしては、小型モータなどを動力源として患部を物理的に押圧する装置や、体に交流高電圧をかける治療機などが巷間に広く出回っているが、これらはいずれも非常に高価なものであり一般家庭などでは容易に購入し常時継続して使用することができない。【０００３】  それ故、叙上の難点を安価にしかも効率よく回避できるものとして、使用者が自分の体重を利用してつぼを押圧する技術が生み出された。本発明者はその点に着目して研究を重ねてきた。
特許文献１には、その従来技術についての一例が開示されている。この文献には、上面全体にいぼ状小突起を多数設けた主体の上に仰臥することによって、就寝中に背骨の歪みなどを矯正する技術が記されている。しかし、前記いぼ状小突起は、体の背面の主要なつぼのすべてに当たるように作られたものではなく、しかも取り外し自在になったものでもないから、使用者が望むつぼ（例えば、肩凝りにきくつぼだけ、あるいは腰痛にきくつぼだけ）に刺激を与えるという使い方をすることはできず、さらにまた、つぼへの刺激は一切やめにして背骨の形を整えるだけにするという使い方をすることもできない。【０００４】  体の一部にあるつぼのすべてに刺激を与えるようにしたものとしては、特許文献２がある。このものは、足の裏のつぼの位置につぼを押すための突起を設けた板の上に乗り、自分の体重を利用してつぼを押圧するようになっているが、押されるのは足の裏のつぼのみであるから、この足つぼ健康器の上に仰臥して体の背面のつぼを押すことなどは絶対にできない。【０００５】  他の例としては、特許文献３がある。このものには、腰のつぼに刺激を与えるつぼ当ての高さを調節することによって腰痛の患者の症状に応じて刺激強さを調整できるようにした技術が開示されている。しかし、このつぼ当ては、腰のつぼに一致する位置に一か所だけ設けられているものであるから、これもまた、体の背面の使用者が望む位置にあるすべてのつぼに対し、使用者が望む強さの刺激を与えるという使い方はできず、ましてや、つぼへの刺激は止めて背骨の形を整えるだけにするという使い方などは思いも寄らないものである。
【特許文献１】  登録実用新案第３０３６９１５号公報
【特許文献２】  実用新案登録第３０８３６８１号公報
【特許文献３】  実開昭６４−４６０２２号公報
【発明の開示】
【発明が解決しようとする課題】
【０００６】  本発明が解決しようとする課題は、使用者が自分の体重を利用し、随時容易に、背面にあるすべてのつぼのうち、自分が望むつぼ（例えば肩凝りにきくつぼだけ、あるいは腰痛にきくつぼだけ）に自分が望む最適の強さの刺激を与えたり、あるいはまた、つぼへの刺激は一切やめにして背骨の形を整えるだけにしたりすることが容易にできる機器を、低廉な価格で提供することにある。
【課題を解決するための手段】
【０００７】  使用者が自分の体重を利用し、随時容易に、背面にあるすべてのつぼのうち、自分が望むつぼ（例えば、肩凝りにきくつぼだけ、あるいは腰痛にきくつぼだけ）に刺激を与えられるようにするため、本発明は、本体とつぼ押圧子とから構成し、前記本体は「正常な体の背面に密接する曲面に形成した軟らかくない板状体の上表面において、体の背面全体に存在する主要なつぼのすべてに相対する各位置に、それぞれつぼ押圧子挿入孔を設けた」ものとし、かつ、前記つぼ押圧子は「前記挿入孔に抜き差し自在に挿入できる脚部およびそれに連なる頭部を有する」ものとした。
そして、この手段によって、所望のつぼへの刺激のみならずその刺激は一切やめにして背骨の形を整えるだけにしたりするということも可能になった。【０００８】  どこを押圧したら最も良くきくかというつぼの位置については、使用者により微妙な個人差がある。その個人差に対応して最適なつぼの位置を自由に選ぶことができるようにするため、本発明は、「つぼ押圧子挿入孔を、各つぼについて、当該つぼの位置およびその近傍にそれぞれ複数個ずつ設ける」ようにした。【０００９】  自分が望むつぼ（例えば、肩凝りにきくつぼだけ、あるいは腰痛にきくつぼだけ）に自分が望む最適の強さの刺激を与えるようにするため、本発明は、「つぼ押圧子を、頭部の高さ、形状または頭頂の面積が異なる複数個のもの」とした。【００１０】  つぼ押圧子挿入孔に挿入されたつぼ押圧子が、妄りに抜け落ちたりしないようにするため、本発明は、「つぼ押圧子挿入孔を、つぼ押圧子の脚部が挿入できる形にした開口部とその下方に連なる空洞部とから成るものとし、つぼ押圧子の脚部に側方に張り出した係止片を設け、前記開口部の周縁に係止肩部を形設して、つぼ押圧子挿入孔に挿入されたつぼ押圧子の係止片が前記係止肩部によって係止できるように」構成した。【００１１】  つぼ押圧子を取り外した後は常に、つぼ押圧子挿入孔が閉塞されるようにするため、本発明は、「つぼ押圧子挿入孔に、蓋片の下端に弾性体を連接した閉塞子を格納し、つぼ押圧子が挿入されないときに前記蓋片の上面が板状体の上表面とほぼ同一面になり開口部を閉塞する」ように構成した。
【発明の効果】
【００１２】  本発明は、本体を「正常な体の背面に密接する曲面に形成した軟らかくない板状体の上表面において、体の背面全体に存在する主要なつぼのすべてに相対する各位置に、それぞれつぼ押圧子挿入孔を設けた」ものとしているから、体の背面全体に存在する主要なつぼのすべてに対して使用者が所望するつぼを選んで、それに刺激を与えることができる。また、つぼ押圧子を「前記挿入孔に抜き差し自在に挿入できる脚部およびそれに連なる頭部を有する」ものとしているから、使用者は随時きわめて容易につぼ押圧子を抜き差しし、体の背面全体に存在する主要なつぼのすべての中から、自分が望む箇所だけを自由に選んで望む強さの刺激を与えることができる。主要なつぼのすべてを一時に刺激しても良く、すべてのつぼを刺激しないようにしても良いことは勿論である。【００１３】  さらにまた、本体を「正常な体の背面に密接する曲面に形成した軟らかくない板状体」としているから、つぼ押圧子を全部抜き取りその上に仰臥すれば、その状態を継続するだけで、歪んだ背骨の形を整えたり、歪んだ背骨を正常な形に矯正したりすることができる。【００１４】  本発明は、「つぼ押圧子挿入孔を、各つぼについて、当該つぼの位置およびその近傍にそれぞれ複数個ずつ設ける」ようにしてあるから、最初は、一般的なつぼの位置に設けられたつぼ押圧子挿入孔につぼ押圧子を挿入してその上に仰臥してみて具合を確かめ、あまりきかないようであればそれを抜き取り、その近傍のつぼ押圧子挿入孔につぼ押圧子を挿入し直してみる。このようにして自分に最適な位置を見つけ出せば、誰でも自分に最適なつぼに対し最も効果のある刺激を容易に与えることが可能になる。【００１５】  肩凝り、腰痛等の症状は、各人各様であり、千差万別である。狭い範囲を鋭く押圧した方がよい場合もあれば、広い面積を鈍く押圧した方がよい場合もある。また深く押圧したい場合もあれば、浅く押圧したい場合もある。本発明は、「つぼ押圧子を、頭部の高さ、形状または頭頂の面積が異なる複数個のもの」としてあるから、使用者が自己の症状に応じて自由に、最適の強さの刺激を受け得るつぼ押圧子を選ぶことができる。【００１６】  つぼ押圧子を挿入した本体の上に裸で仰臥したときなどは、起き上がる際につぼ押圧子が背中に張り付きつぼ押圧子挿入孔から抜け出したり、または、移動のために本体を傾けたときなどは、つぼ押圧子がつぼ押圧子挿入孔から抜け落ちたりしがちである。そこで本発明では、「つぼ押圧子挿入孔を、つぼ押圧子の脚部が挿入できる形にした開口部とその下方に連なる空洞部とから成るものとし、つぼ押圧子の脚部に側方に張り出した係止片を設け、前記開口部の周縁に係止肩部を形設して、つぼ押圧子挿入孔に挿入されたつぼ押圧子の係止片が前記係止肩部によって係止できるように構成し」て、そのような問題が起こらないようにした。【００１７】  つぼ押圧子を抜き取った本体の上に仰臥するとき、つぼ押圧子挿入孔が開口したままであると、開口部分だけが体の背面に密接せず違和感が生じる。また、そこから塵埃が入ったりもする。本発明では、「つぼ押圧子挿入孔に、蓋片の下端に弾性体を連接した閉塞子を格納し、つぼ押圧子が挿入されないときに前記蓋片の上面が板状体の上表面とほぼ同一面になり開口部を閉塞するように構成してあるから、この問題も解決できている。【００１８】  叙上の説明から明らかなように、本発明の最大の利点は、背面の主要なつぼのうちのいずれのつぼに対しても、使用者が望む箇所のつぼを選び、望むとおりの強さの刺激を与えたり、与えなかったりすることができる点である。
しかも、本発明は、従来の技術のように、他者の手を借りたり、複雑で精密な機械装置や高価な交流高電圧治療機などを用いていないから、極めて安価に実施をすることができる。発明を具体化した機器の制作費も極めて低く押さえられ、その使用に際しても、つぼ押圧子を挿入孔に挿入したり抜き取ったりしたりするだけでよいから、極めて簡単であり誰にでもできる。
【発明を実施するための最良の形態】
【００１９】  軟らかくない板状体の上表面を、正常な体の背面に密接する曲面に形成し、該曲面上において、体の背面全体に存在する主要なつぼのすべてに相対する各位置に、それぞれつぼ押圧子挿入孔を設けた本体と、前記挿入孔に抜き差し自在に挿入できる脚部およびそれに連なる頭部を有するつぼ押圧子とから成り、前記つぼ押圧子挿入孔を、各つぼについて、一般的な当該つぼの位置およびその近傍にそれぞれ複数個ずつ設けるようにし、かつ、前記つぼ押圧子を頭部の高さ、形状または頭頂の面積が異なる複数個のものとする。
【実施例】
【００２０】  図面を参照しながら、本発明の実施例について説明する。
図１は、本発明に係るつぼ押圧機の一例について、背骨の近傍に並ぶつぼ押圧子挿入孔４を截断した本体５の断面と、つぼ押圧子３の側面を示した図である。図２は、側面から見た本体５の断面の輪郭と使用者の背骨との関係を示した概念図であり、図３は、体の背面全体に存在する主要な一般的つぼのすべての位置を黒点で例示した概念図であり、図４は、板状体１の一部を拡大した他の実施例の断面と、つぼ押圧子３の他の実施例および閉塞子１４の実施例の側面を示した図である。図５は、つぼ押圧子の他の数個の実施例を示した側面図である。【００２１】  板状体１は、図１に示すように一枚板のものとしても良いし、図４に示すように板金加工や射出成型によって作ることもできる。
板状体１の素材には、ＦＲＰ（繊維強化プラスチック）、木、硬質プラスチック、等が用いられる。ある程度の硬さがないと、その上に仰臥したとき体が沈み込み、背骨の矯正効果が薄れるから、上表面２が軟らかでない素材を用いることが肝要である。そして、その上表面２は、図１または図２に示すように、正常な体の背面に密接する曲面に形成する。具体的には、例えば、背骨の当たる箇所は正常な背骨が埋まる形の窪みにして、背骨が前後にまたは左右に湾曲している使用者がその上に仰臥していると、自分の体重で自然にその背骨の形が整えられたり矯正されたりできるような曲面に形成する。
なお、板状体１のサイズは、平均的な大人のものとする。多少の体格差や身長差はそれでカバーできるが、平均より並外れて大きいまたは小さい人に対しては、それらの人に適したサイズのものが別途準備される。【００２２】  板状体１の上表面２には、図３に黒点で示すように、体の背面全体に存在する主要なつぼのすべてに相対する各位置において、それぞれ図１または図４に示すようなつぼ押圧子挿入孔４または４１を設ける。挿入孔４または４１の径と深さは、後に詳述するつぼ押圧子３の脚部６が挿入孔４または４１の空洞部１１へ容易に抜き差しができ、しかも、挿入したときにつぼ押圧子３の頭部７の下縁が板状体１の上表面２に接して（図４の右方の状態を参照）、妄りに孔４または４１の中で揺れ動いたりしない大きさと深さにする必要がある。使用者がその上に仰臥したときに、頭部７の下縁が上表面２から離隔してつぼ押圧子３が孔の中で揺れ動くと、つぼへの適正な刺激を与えることができなくなるからである。なお、図面には有底の挿入孔４が示されているが、叙上の要件を満たす構造でありさえすれば、有底でなくともよい。【００２３】  つぼ押圧子挿入孔４または４１は、各つぼについて、当該つぼの位置およびその近傍にそれぞれ複数個ずつ設ける。つぼの位置に関しては、各種の特効つぼが広く知られているが、標準的なつぼ押圧機においては、通常最も一般的に知られているつぼの位置を選び、当該位置とその近傍にそれぞれ複数個ずつ設ける。そうすれば、各種の特効つぼに対応できる。それでも対応できない特殊なつぼに対しては、別の板状体１を準備しそれに適応したつぼ押圧子挿入孔を設ける。【００２４】  つぼ押圧子挿入孔４は、図１に示すものに限らない。図４に示すように、つぼ押圧子３の脚部６が挿入できる形にした開口部１０とその下方に連なる有底空洞部１１とから成るものとし、前記開口部１０の周縁に係止肩部９を形設して、つぼ押圧子挿入孔４１に挿入されたつぼ押圧子３１の係止片８が前記係止肩部９によって係止できるようにすることができる。それらを図示のような構造にした場合には、図４の中央に示したつぼ押圧子３１を垂直に押し下げると、係止片８は係止肩部９の間隙をすり抜け挿入孔４１中に深く挿入され、つぼ押圧子３１の頭部７の下縁を板状体１の上表面２に接しさせることができる。その状態でつぼ押圧子３１を回転させると、係止片８は図４の右方に示すとおり係止肩部９にしっかりと係止される。なお、この係止に関しては、（図示を省略する）その他の係止機構を採用してもよいことはいうまでもない。【００２５】  つぼ押圧子３、３１の素材には、木、アルミ、ステンレス、ＦＲＰ（繊維強化プラスチック）、硬質ゴム、硬質プラスチック、等が用いられる。その脚部６は、つぼ押圧子挿入孔４または４１の開口部１０に容易に挿入できる大きさで挿入孔４の中にあって妄りに動かない形状にする。その長さは、挿入孔４または４１に挿入したとき頭部７の下縁を板状体１の上表面２に密接させることができる長さにする。頭部７と脚部６と係止片８とは一体に成型しても良いし、別体のものを組み立てるようにしても良い。
そして、その脚部６は、図１に示す形のもののみならず、図４、図５に示すように側方に張り出した係止片８を設けることができ、その構造にした場合には、前記したように、つぼ押圧子３１をつぼ押圧子挿入孔４１に挿入し動かないように係止させることができる。
また、頭部７の表面は、必要に応じて布、ゴム、軟質プラスチック等でカバーすることもできる。【００２６】  つぼ押圧子３の頭部７は、使用者が自己の症状に応じて自由に最適のつぼ押圧子を選ぶことができるようにするため、図５の（ａ）の７１、（ｂ）の７２、（ｃ）の７３に示すように、その高さ、形状または頭頂の面積が異なる複数個のものを準備することができる。
頭部７と脚部６を別体に作り、両者がねじ結合できるような構造にすれば、複数種類の頭部７、７１、７２、７３等を同一の脚部６に随意ねじ付け、取り替えることができ、脚部６の数を減らすことができる。【００２７】  閉塞子１４の蓋片１２の素材には、木、アルミ、ステンレス、ＦＲＰ（繊維強化プラスチック）、硬質ゴム、硬質プラスチック、等が用いられる。蓋片１２の下端には弾性体１３を連接する。弾性体１３としては、図４に示したつる巻きバネ、またはゴム柱等の弾性材料が用いられる。そして、閉塞子１４の全体構造を、各種の慣用手段を用い、つぼ押圧子が挿入されないときに前記蓋片の上面が板状体の上表面とほぼ同一面になり、開口部が閉塞されるように構成する。
【図面の簡単な説明】
【００２８】
【図１】本発明に係るつぼ押圧機の一例について、背骨の近傍に並ぶつぼ押圧子挿入孔４を截断した本体５の断面と、つぼ押圧子３の側面を示した図。
【図２】側面から見た本体５の断面の輪郭と使用者の背骨との関係を示した概念図。
【図３】体の背面全体に存在する主要な一般的つぼのすべての位置を黒点で例示した概念図。
【図４】板状体１の一部を拡大した他の実施例の断面と、つぼ押圧子３の他の実施例および閉塞子１４の実施例の側面を示した図。
【図５】つぼ押圧子の他の数個の実施例を示した側面図。
【符号の説明】
【００２９】１        板状体
２        板状体の上表面
３、３１  つぼ押圧子、
４、４１  つぼ押圧子挿入孔
５        本体
８        係止片
９        係止肩部
１２      蓋片
１３      弾性体
１４      閉塞子
【図１】
2006271906.tif 000003
【図２】
2006271906.tif 000004
【図３】
2006271906.tif 000005
【図４】
2006271906.tif 000006
【図５】
2006271906.tif 000007